Podtech/llm-jp-corpus-v4-ja_patent huggingface dataset:
【手続補正書】
【提出日】平成19年3月28日(2007.3.28)
【手続補正１】
【補正対象書類名】特許請求の範囲
【補正対象項目名】全文
【補正方法】変更
【補正の内容】
【特許請求の範囲】
【請求項１】
一方のモードがフィンガ・ナビゲーション・モードで、もう一方のモードが指認識モードである、少なくとも２つの異なる動作モードの１つで指紋を画像入力するための装置であって、
表面に人間の指の先端部分が押し当てられる、少なくとも１つの方向の寸法において前記人間の指の先端よりも小さい、細長いセンシングエリアを備えたスワイプ・インターフェースと、
前記スワイプ・インターフェースの前記表面に押し当てられた前記人間の指の先端部分を照射する光を放出する光源と、
前記人間の指の先端部分で反射した光をその画像として入力し、前記スワイプ・インターフェースを横切る前記人間の指の動きから生じる一連の画像を表わした画像データを生成し、少なくとも２つの異なる動作モードのうち、選択されたモードによる処理のために前記画像データを出力する光画像センサと、
を備えることを特徴とする装置。
【請求項２】
前記光源がオン状態とオフ状態を備えており、オン状態とオフ状態との間で順次動作して、受信メッセージを通知することが可能であることを特徴とする請求項１に記載の装置。
【請求項３】
前記光源及び前記センサを内部に有し、外部表面を有するハウジングをさらに備え、
前記スワイプ・インターフェースは、前記ハウジングの前記外部表面を貫いて、その上方に突き出しており、
前記ハウジングは、前記スワイプ・インターフェースを横切る前記人間の指を導いて、非回転動作させるように構成された溝を備えることを特徴とする請求項１に記載の装置。
【請求項４】
細長いセンシングエリアを横切る人間の指の先端部分の動きから生じる一連の画像を表わした画像データを受信するように接続されており、フィンガ・ナビゲーション・モードと指認識モードを含む、少なくとも２つの異なる動作モードのうちから選択されたモードで前記画像データの処理を行うためのプロセッサと、
前記プロセッサに接続されて、前記選択されたモードの選択を行うためのモード・スイッチと、
を備えることを特徴とする少なくとも２つの異なるモードで動作する画像入力システム。
【請求項５】
前記プロセッサは、前記選択されたモードがフィンガ・ナビゲーション・モードのとき、前記一連の画像を表わした前記画像データを相関させて、前記一連の画像の連続する画像間における前記人間の指が動く量及び方向を表わしたナビゲーション情報を確定し、前記ナビゲーション情報を出力して、前記ナビゲーション情報を用いた電子装置のディスプレイ上におけるカーソル位置を制御することを特徴とする請求項４に記載の画像入力システム。
【請求項６】
前記プロセッサは、前記選択されたモードが指認識モードであるとき、前記一連の画像を表わした前記画像データにステッチをかけて、人間の指の指紋であって、指紋照合に十分な数の微小テクスチャ特徴を備える指紋の１つの連続した画像を形成することを特徴とする請求項４に記載の画像入力システム。
【請求項７】
前記プロセッサは、前記選択されたモードがスタイラス・モードのとき、前記一連の画像を表わした前記画像データを相関させて、前記一連の画像の連続する画像間における前記人間の指が動く量及び方向を表わしたナビゲーション情報を確定し、前記ナビゲーション情報を用いて、前記センシングエリアを横切る前記人間の指の動きに関連した１つ以上のフィンガ・ストロークを決定し、前記１つ以上のフィンガ・ストロークに関連した文字を決定することを特徴とする請求項４に記載の画像入力システム。
【請求項８】
前記プロセッサに接続されて、前記センシングエリアを順次照射し、メッセージ待機状態を表わす明滅光を発生するためのスイッチをさらに備えることを特徴とする請求項４に記載の画像入力システム。
【請求項９】
少なくとも２つの異なるモードで画像入力システムを動作させるための方法であって、
表面に、少なくとも１次元において人間の指の先端よりも小さい細長いセンシングエリアを備えた、スワイプ・インターフェースを横切る人間の指の先端部分の動きから生じる一連の画像を表わした画像データを受信することと、
フィンガ・ナビゲーション・モードと指認識モードを含む、前記画像データを処理するための前記少なくとも２つの異なるモードの一方を選択することと、
前記一連の画像の連続する画像間における前記人間の指が動く量及び方向を表わしたナビゲーション情報を確定するように、前記一連の画像を表わした前記画像データを相関させることと、
前記ナビゲーション情報を用いて、前記選択されたモードで前記画像データの処理を行うことと、
を有することを特徴とする方法。
【請求項１０】
前記相関させることは、前記人間の指の先端に存在する微小テクスチャ特徴を用いて、前記一連の画像を表わした前記画像データを相関させることを特徴とする請求項９に記載の方法。
【手続補正書】
【提出日】平成18年11月21日(2006.11.21)
【手続補正１】
【補正対象書類名】特許請求の範囲
【補正対象項目名】全文
【補正方法】変更
【補正の内容】
【特許請求の範囲】
【請求項１】
電磁光リレーであって、
切り替えチャネルを有するリレーハウジングと、
前記切り替えチャネルを通る第１の光路と、
前記切り替えチャネル内を移動するよう設けた固体スラグと、
前記固体スラグを前記切り替えチャネル内の第１の位置へ移動させて前記第１の光路を遮断するよう動作可能な第１の電磁アクチュエータと、
前記固体スラグを前記切り替えチャネル内の第２の位置へ移動させて前記第１の光路の遮断を解除するよう動作可能な第２の電磁アクチュエータと、
を備える電磁光リレー。
【請求項２】
前記第１および第２の電磁アクチュエータの少なくとも一方が、前記切り替えチャネルを取り囲む電気コイルを備える請求項１記載の電磁光リレー。
【請求項３】
第１の電磁アクチュエータが、前記切り替えチャネルを取り囲む１対の電気コイルを備え、該コイルの間に第１の光路が通過するように該コイルは一定の間隔に置かれる、請求項１記載の電磁光リレー。
【請求項４】
前記切り替えチャネルの端部に開口して接続された圧力開放通気孔をさらに含み、前記通気孔は前記固体スラグが移動するときに、前記チャネル内で前記通気孔を圧力開放するよう適合される、請求項１記載の電磁光リレー。
【請求項５】
前記圧力開放通気孔は、前記固体スラグの移動を鈍らせるように大きさ及び位置が決められる、請求項４記載の電磁光リレー。
【請求項６】
前記固体スラグは、磁化されたものである、請求項１記載の電磁光リレー。
【請求項７】
電磁光リレーであって、
切り替えチャネルを有するリレーハウジングと、
前記切り替えチャネルを通る第１の光路と、
前記切り替えチャネル内を移動するよう設けた固体スラグと、
前記固体スラグを前記切り替えチャネル内の第１の位置へ移動させて前記第１の光路を遮断するよう動作可能な第１の電磁アクチュエータと、
前記固体スラグを前記切り替えチャネル内の第２の位置へ移動させて前記第１の光路の遮断を解除するよう動作可能な第２の電磁アクチュエータと、を備え、
前記リレーハウジングは、回路基板層と、キャップ層と、前記回路層及び前記キャップ層の間に位置し、前記切り替えチャネルが形成された切り替え層と、を備える、電磁光リレー。
【請求項８】
前記リレーハウジングは、前記切り替えチャネルの端部に開口して接続された圧力開放通気孔を有する通気孔層を備える、請求項７記載の電磁光リレー。
【請求項９】
前記切り替え層の第１のアライメントノッチの中に位置する第１の導光路と、
前記切り替え層の第２のアライメントノッチの中に位置する第２の導光路と、を備え、
前記第１及び第２の導光路は、軸方向に調整されて前記第１の光路の一部を形成する、請求項７記載の電磁光リレー。
【請求項１０】
前記第１及び第２の導光路は、粘着力によって前記第１及び第２の調整ノッチに保持されている、請求項９記載の電磁光リレー。
【手続補正書】
【提出日】平成19年4月6日(2007.4.6)
【手続補正１】
【補正対象書類名】特許請求の範囲
【補正対象項目名】全文
【補正方法】変更
【補正の内容】
【特許請求の範囲】
【請求項１】
第１及び第２の入力を備え、第１及び第２の出力を備えるミクサ（２０）と、
第１及び第２の部分を備え、前記第１の出力から前記第１の部分に混合信号（５６）が供給され、前記第２の部分から前記第２の入力に結合信号（７２）を供給する、コンバイナ（１４）と、
前記第１の部分から残りの信号（６２）を受信して、反射複合信号（７０）を前記第２の部分に供給する第１のリフレクタ（４０）と、
前記第１の部分から分離ポンプ信号（５８）を受信して、反射ポンプ信号（６０）を前記第２の部分に供給する第２のリフレクタ（３０）
とを備える、装置。
【請求項２】
前記ミクサが、中心軸（３６）によって特徴付けられ、かつ、前記中心軸に沿って配置された非線形結晶（２４）を含む、請求項１に記載の装置。
【請求項３】
前記ミクサが、さらに、前記中心軸に沿って配置された第１及び第２のレンズ（２２、２６）を備え、
前記混合信号（５６）が、前記中心軸（３６）に対し平行で、それからオフセットしており、かつ、前記第１の部分に放射するビームであり、
前記結合信号（７２）が、前記中心軸（３６）に対し平行で、それからオフセットしており、かつ、前記第２の部分から生じるビームであり、
前記第２のレンズ（２６）が、（ａ）前記非線形結晶（２４）内にある前記中心軸（３６）上のポイント（Ｐ）から生じる光を前記混合信号（５６）に向けて平行化するように、かつ、（ｂ）前記中心軸（３６）上の前記ポイント（Ｐ）に前記結合信号（７２）を集束させるように配置され、
前記混合信号（５６）が、前記結合信号（７２）に対して平行で、それからオフセットしていることからなる、請求項２に記載の装置。
【請求項４】
前記第１の部分が、前記混合信号の第１の部分を前記分離ポンプ信号（５８）として反射し、前記混合信号の第２の部分を前記残りの信号（６２）として通過させるダイクロイック・コーティングを有し、
前記中心軸（３６）に対する前記第１の部分の配向が、前記分離ポンプ信号（５８）を反射して、前記第２のリフレクタ（３０）に送り込み、前記残りの信号を通過させて、前記第１のリフレクタ（４０）に送り込むように施されていることからなる、請求項３に記載の装置。
【請求項５】
前記第２の部分が、前記反射ポンプ信号（６０）を前記結合信号の第１の部分として反射し、前記反射複合信号（７０）を前記結合信号の第２の部分として通過させるダイクロイック・コーティングを有し、
前記中心軸（３６）に対する前記第２の部分の配向が、前記結合信号の前記第１及び第２の部分を重ね合わせて、前記結合信号（７２）を形成するように施されていることからなる、請求項４に記載の装置。
【請求項６】
前記第１の部分が、前記混合信号の第１の部分を前記分離ポンプ信号として通過させ、及び、前記混合信号の第２の部分を前記残りの信号として反射するダイクロイック・コーティングを有し、
前記中心軸に対する前記第１の部分の配向が、前記分離ポンプ信号を通過させて、前記第２のリフレクタに送り込み、及び、前記残りの信号を反射して、前記第１のリフレクタに送り込むように施されていることからなる、請求項３に記載の装置。
【請求項７】
前記第２の部分が、前記反射ポンプ信号を前記結合信号の第１の部分として通過させ、及び、前記反射複合信号を前記結合信号の第２の部分として反射するダイクロイック・コーティングを有し、
前記中心軸に対する前記第２の部分の配向が、前記結合信号の前記第１及び第２の部分を重ね合わせて、前記結合信号を形成するように施されていることからなる、請求項６に記載の装置。
【手続補正書】
【提出日】平成18年11月21日(2006.11.21)
【手続補正１】
【補正対象書類名】特許請求の範囲
【補正対象項目名】全文
【補正方法】変更
【補正の内容】
【特許請求の範囲】
【請求項１】
光スイッチ用の構造であって、
固体材料内に配置されたチャネルと、
前記チャネル内の複数の接点であって、前記固体材料に結合する複数の接点と、
複数の液体金属の小球であって、前記複数の接点に結合された液体金属の小球と、
前記複数の液体金属の小球のうち１つまたは複数に結合し、前記複数の接点のうち１つまたは複数に結合するスラグと、
前記チャネルに結合し、前記スラグに結合するように動作可能な複数の圧電素子と、
前記チャネルに結合する複数の光導波路であって、前記スラグによって遮断されるかまたは遮断を解除されるように動作可能である複数の光導波路と、
を備える光スイッチの構造。
【請求項２】
前記スラグは１つまたは複数の端部でテーパー状である、請求項１記載の光スイッチの構造。
【請求項３】
前記複数の光導波路は、対応する複数の封止剤にさらに結合されている、請求項１記載の光スイッチの構造。
【請求項４】
前記スラグは固体である、請求項１記載の光スイッチの構造。
【請求項５】
前記スラグは、金属、セラミック、及びプラスチックのうちの１つまたは複数で作成される、請求項１記載の光スイッチの構造。
【請求項６】
前記スラグは、複数の液体金属のうちの小球の液体金属の中に封じ込められる、請求項１記載の光スイッチの構造。
【請求項７】
前記複数の光導波路は濡らすことができない面を有する、請求項１記載の光スイッチの構造。
【請求項８】
１つまたは複数の小球の液体金属は水銀で構成されている、請求項１記載の光スイッチの構造。
【請求項９】
複数の圧電素子は対応する複数の作動側接点にさらに結合され、前記複数の作動側接点は、複数の圧電素子の作動を制御するように動作可能である、請求項１記載の光スイッチの構造。
【請求項１０】
前記チャネルは１又は複数のバイヤにさらに結合され、前記１つ以上のバイヤは前記チャネルを上部チャネルに結合させるよう動作可能である、請求項１記載の光スイッチの構造。
【手続補正書】
【提出日】平成19年4月5日(2007.4.5)
【手続補正１】
【補正対象書類名】特許請求の範囲
【補正対象項目名】全文
【補正方法】変更
【補正の内容】
【特許請求の範囲】
【請求項１】
偏光ビームスプリッタと、少なくとも２つのリフレクタと、非線形結晶と、第１および第２の偏光回転装置とを備える装置であって、
前記偏光ビームスプリッタ、前記非線形結晶、および前記少なくとも２つのリフレクタが、時計廻り信号成分と反時計廻り信号成分を伝搬することが可能なループをなすように構成され、
前記第１の偏光回転装置が、前記ループにおいて、前記偏光ビームスプリッタと前記少なくとも２つのリフレクタのうち第１のリフレクタとの間に配置され、
前記第２の偏光回転装置が、前記ループにおいて、前記偏光ビームスプリッタと前記少なくとも２つのリフレクタのうち追加のリフレクタとの間に配置され、および
前記第１の偏光回転装置が、可逆性回転子および非可逆性回転子からなる直列構成を含む、装置。
【請求項２】
前記可逆性回転子が、前記偏光ビームスプリッタの基準軸に対して２２．５度傾斜した主軸を有する二分の一波長板を含み、および
前記非可逆性回転子が、前記時計廻り信号成分および前記反時計廻り信号成分の偏光を＋４５度だけ回転させることができるように構成されたファラデー回転子を含む、請求項１に記載の装置。
【請求項３】
前記少なくとも２つのリフレクタが、第２のリフレクタをさらに含み、
前記追加のリフレクタが、前記少なくとも２つのリフレクタの第３のリフレクタを構成し、
前記偏光ビームスプリッタ、前記第１のリフレクタ、前記第２のリフレクタ、および前記第３のリフレクタが、前記ループをなすように構成され、および
前記第２の偏光回転装置が、前記ループにおいて、前記偏光ビームスプリッタと前記第３のリフレクタとの間に配置される、請求項１に記載の装置。
【請求項４】
前記追加のリフレクタが、前記少なくとも２つのリフレクタの第２のリフレクタを構成し、
前記少なくとも２つのリフレクタが、第３のリフレクタをさらに含み、
前記偏光ビームスプリッタ、前記第１のリフレクタ、前記第２のリフレクタ、および前記第３のリフレクタが、前記ループをなすように構成され、および
前記第２の偏光回転装置が、前記ループにおいて、前記第３のリフレクタと第２のリフレクタとの間に配置される、請求項１に記載の装置。
【請求項５】
前記第３のリフレクタと前記偏光ビームスプリッタおよび前記第２の偏光回転装置の一方との間に配置された線路引伸ばし器をさらに含み、
前記非線形結晶が前記第１のリフレクタと前記第２のリフレクタとの間に配置される、請求項４に記載の装置。
【請求項６】
ミラーであって、前記第２のリフレクタが前記非線形結晶と前記ミラーとの間に配置されるように配置されたミラーと、
前記ミラーと前記第２のリフレクタとの間に配置された等化器とをさらに含む、請求項５に記載の装置。
【請求項７】
前記非線形結晶が、ソース信号周波数のソース信号をポンプ信号周波数のポンプ信号と混合して、ヘテロダイン信号周波数のヘテロダイン信号をもたらすように構成され、前記ヘテロダイン信号周波数が、前記ソース信号周波数と前記ポンプ信号周波数との和および差の一方であり、および
前記第１のリフレクタが、前記ソース信号周波数において反射性であり、前記ポンプ信号周波数に対して透過的である、請求項５に記載の装置。
【請求項８】
第１のスプリッタであって、前記第１のリフレクタが前記非線形結晶と前記第１のスプリッタとの間に配置されるように配置された第１のスプリッタをさらに含み、
前記第１のリフレクタが前記ヘテロダイン信号周波数においてさらに透過的であり、
前記第２のリフレクタが、前記ソース信号周波数において反射性であり、前記ポンプ信号周波数において透過的であり、および
前記第１のスプリッタが、前記ポンプ信号周波数において透過的であり、前記ヘテロダイン信号周波数において反射性である、請求項７に記載の装置。
【請求項９】
前記第２のリフレクタが前記ヘテロダイン信号周波数においてさらに透過的であり、前記装置が、
前記第１のスプリッタに隣接して配置されたフィルタと、
検出器とをさらに含み、
前記検出器は、前記フィルタが前記検出器と前記第１のスプリッタとの間に配置されるように配置される、請求項８に記載の装置。
【請求項１０】
前記第２のリフレクタと前記非線形結晶との間に配置された第２のスプリッタをさらに含み、
前記第２のスプリッタが、前記ヘテロダイン信号周波数において反射性であり、前記ソース信号周波数および前記ポンプ信号周波数の双方において透過的である、請求項８に記載の装置。
【請求項１１】
前記第２のスプリッタに隣接して配置されたヘテロダイン信号リフレクタと、
前記第１のスプリッタに隣接して配置された偏光ビームコンバイナと、
前記ヘテロダイン信号リフレクタと前記偏光ビームコンバイナとの間に配置された９０度回転子とをさらに含む、請求項１０に記載の装置。
【請求項１２】
偏光ビームスプリッタと、少なくとも２つのリフレクタと、非線形結晶と、線路引伸ばし器と、第１および第２の偏光回転装置とを備える装置であって、
前記偏光ビームスプリッタ、前記非線形結晶、前記線路引伸ばし器、および前記少なくとも２つのリフレクタが、時計廻り信号成分と反時計廻り信号成分を伝搬することが可能なループをなすように構成され、
前記第１の偏光回転装置が、前記ループにおいて、前記偏光ビームスプリッタと前記少なくとも２つのリフレクタのうち第１のリフレクタとの間に配置され、
前記第２の偏光回転装置が、前記ループにおいて、前記偏光ビームスプリッタと前記少なくとも２つのリフレクタのうち追加のリフレクタとの間に配置され、
前記第１の偏光回転装置が、可逆性回転子および非可逆性回転子からなる直列構成を含み、
前記非線形結晶が前記第１のリフレクタと前記追加のリフレクタとの間に配置され、および
前記線路引伸ばし器が、前記第２の偏光回転装置と前記偏光ビームスプリッタおよび前記追加のリフレクタの一方との間に配置される、装置。
【請求項１３】
第１のスプリッタであって、前記第１のリフレクタが前記非線形結晶と前記第１のスプリッタとの間に配置されるように配置された第１のスプリッタをさらに含み、
前記非線形結晶が、ソース信号周波数のソース信号をポンプ信号周波数のポンプ信号と混合して、ヘテロダイン信号周波数のヘテロダイン信号をもたらすように構成され、前記ヘテロダイン信号周波数が、前記ソース信号周波数と前記ポンプ信号周波数との和および差の一方であり、
前記第１のリフレクタが、前記ソース信号周波数において反射性であり、前記ポンプ信号周波数において透過的であり、
前記第１のリフレクタが前記ヘテロダイン信号周波数においてさらに透過的であり、
前記追加のリフレクタが、前記ソース信号周波数において反射性であり、前記ポンプ信号周波数において透過的であり、および
前記第１のスプリッタが、前記ポンプ信号周波数において透過的であり、前記ヘテロダイン信号周波数において反射性である、請求項１２に記載の装置。
【手続補正書】
【提出日】平成19年3月6日(2007.3.6)
【手続補正１】
【補正対象書類名】特許請求の範囲
【補正対象項目名】全文
【補正方法】変更
【補正の内容】
【特許請求の範囲】
【請求項１】
切り替えチャンネルを備えるリレーハウジングと、
前記切り替えチャンネル内に配置され、それぞれ液体金属により湿潤可能な面を有する第１の接点パッド及び第２の接点パッドと、
前記切り替えチャンネル内に前記第１と第２の接点パッド間に配置され、液体金属により湿潤可能な面を有する第３の接点パッドと、
前記第１の接点パッドと湿潤接触する第１の液体金属液滴と、
前記第２の接点パッドと湿潤接触する第２の液体金属液滴と、
前記第３の接点パッドと湿潤接触し、前記切り替えチャンネル内を移動して前記第１の液体金属液滴と前記第２の液体金属液滴のうちの一方に合体するように設けた第３の液体金属液滴と、
前記第１の液体金属液滴と前記第３の液体金属液滴の間の前記切り替えチャンネルを挿通する第１の光路と、
第１ポンプ室が、可撓性ダイヤフラムにより一部区画され、前記ポンプ室と前記切り替えチャンネルの間で差動流体をポンプ送りし、それによって前記第３の液体金属液滴を前記第１の液体金属液滴と前記第２の液体金属液滴の一方と合体させるように動作可能な第１の圧電ポンプとを備え、
前記第１の光路は、前記第１の液体金属液滴と前記第３の液体金属液滴が合体したときに遮断され、前記前記第１の液体金属液滴と前記第３の液体金属液滴が分離したときに開通する、
ことを特徴とする圧電光リレー。
【請求項２】
前記第１の圧電ポンプは、第１の貫通孔を介して切り替えチャンネル内へ作動流体をポンプ送りするよう動作可能であり、該第１の貫通孔は前記第２の液体金属液滴と前記第３の液体金属液滴の間に配置してあり、それによって前記第２と第３の液体金属液滴を分離させるとともに前記第１と第３の液体金属液滴を合体させることを特徴とする請求項１に記載の圧電光リレー。
【請求項３】
前記第１の圧電ポンプはさらに、作動流体を第１の貫通孔を介して前記切り替えチャンネル外へポンプ送りするよう動作可能であり、前記第１の貫通孔は前記第２の液体金属液滴と前記第３の液体金属液滴の間に位置し、それによって該第２と第３の液体金属液滴を合体させ、前記第１と第３の液体金属液滴を分離することを特徴とする請求項１に記載の圧電光リレー。
【請求項４】
前記第１の圧電ポンプはさらに、前記第１の可撓性ダイヤフラムに取り付けた少なくとも一つの圧電素子を備え、該少なくとも一つの圧電素子が屈曲モードで変形し、それによって前記第１のポンプ室の容積を可変するよう設けてあることを特徴とする請求項１に記載の圧電光リレー。
【請求項５】
前記第１の光路が、
切り替えチャンネルへ光を伝送する構成の第１の導光路と、
前記第１の導光路に光学的に整列配置され、前記第１の液体金属液滴と前記第３の液体金属液滴が分離したときに前記第１の導光路から光を受光する構成の第２の導光路とを備える、
ことを特徴とする請求項１に記載の圧電光リレー。
【請求項６】
前記第２の液体金属液滴と前記第３の液体金属液滴の間を挿通する第２の光路をさらに備えることを特徴とする請求項１に記載の圧電光リレー。
【請求項７】
前記第３の液体金属液滴に結合した可動金属片をさらに備え、前記第３の液体金属液滴の動きに伴って前記可動金属片が移動する請求項１に記載の圧電光リレー。
【請求項８】
前記リレーハウジングが、
中に流体貯槽が形成されている底部キャップ層と、
中に切り替えチャンネルが形成されている切り替え層と、
前記第１および第２の圧電ポンプを収容し、前記流体貯槽と前記切り替えチャネルとの間で作動流体をポンプ送りするようになされたポンプ室層と、
前記切り替え層より上に位置する頂部キャップ層とを備える請求項７に記載の圧電光リレー。
【請求項９】
第２の可撓性ダイヤフラムにより一部区画され、貫通孔を介して第２のポンプ室と前記切り替えチャンネルの間で作動流体をポンプ送りするよう動作可能な前記第２のポンプ室を備える第２の圧電ポンプをさらに備え、前記貫通孔が前記第１の液体金属液滴と前記第３の液体金属液滴の間に位置することを特徴とする請求項１に記載の圧電光リレー。
【請求項１０】
前記ポンプ室層と前記切り替え層との間に位置し、前記第１および第２の圧電ポンプを前記切り替えチャンネルに結合する第１および第２の流体通気孔を含む貫通孔層をさらに備える請求項９に記載の圧電光リレー。
【請求項１１】
前記第１の光路が、
前記切り替え層の第１のノッチ内に埋め込まれ、光を切り替えチャンネルへ伝送するように構成された第１の導光路と、
前記切り替え層の第２のノッチ内に埋め込まれ、前記第１の導光路に光学的に整列配置され、前記第１の液体金属液滴と前記第３の液体金属液滴が分離したときに前記第１の導光路から受光するように構成された第２の導光路とを備える請求項９に記載の圧電光リレー。
【手続補正書】
【提出日】平成19年3月23日(2007.3.23)
【手続補正１】
【補正対象書類名】特許請求の範囲
【補正対象項目名】全文
【補正方法】変更
【補正の内容】
【特許請求の範囲】
【請求項１】
光スイッチのための構造であって：
固体材料内に収容され、作動液体を有する室と；
前記固体材料に結合された前記室内の複数の封止ベルトと；
前記複数の封止ベルトに結合され、前記室に結合された複数の液体金属の小滴と；
複数の膜に結合された複数の圧電素子であって、前記複数の膜が前記室に結合された圧電素子と；
前記室に結合される光導波路であって、前記複数の液体金属の小滴により遮断されるか、または遮断が解除されるように構成可能な複数の光導波路と、
を備えることを特徴とする構造。
【請求項２】
前記作動液体は、不活性であり、非導電性であり、低粘性を有することを特徴とする請求項１に記載の構造。
【請求項３】
前記複数の光導波路は、湿潤不能な面を有することを特徴とする請求項１に記載の構造。
【請求項４】
前記作動液体はフロリナートであることを特徴とする請求項１に記載の構造。
【請求項５】
前記複数の圧電素子は、前記室の作動液体を補充するように作動可能な作動液体が入っている１以上の貯槽の中にあることを特徴とする請求項１に記載の構造。
【請求項６】
前記１以上の液体金属の小滴は、水銀によって構成されることを特徴とする請求項１に記載の構造。
【請求項７】
前記複数の膜は、対応する複数のバイアに結合し、
複数のバイアのうち、あるバイアが、前記作動液体の流量を増加するように作動可能であることを特徴とする請求項１に記載の構造。
【請求項８】
前記複数の膜は、対応する複数の幅を有し、
前記対応する複数の幅は、前記複数の圧電素子の作動しない方向における大きさよりも大きいことを特徴とする請求項１に記載の構造。
【請求項９】
前記複数の圧電素子は、対応する複数の接点にさらに結合され、
前記複数の接点は、前記複数の圧電素子を作動可能に動作することを特徴とする請求項１に記載の構造。
【請求項１０】
前記複数の接点のそれぞれの接点は、圧電素子の第１の端に結合する第１の端部と、前記圧電素子第２の端に結合する第２の端部とを備えることを特徴とする請求項８に記載の構造。
【請求項１１】
前記第１の端部と前記第２の端部とは、誘電体によって分離されることを特徴とする請求項９に記載の構造。
【手続補正書】
【提出日】平成19年2月16日(2007.2.16)
【手続補正１】
【補正対象書類名】特許請求の範囲
【補正対象項目名】全文
【補正方法】変更
【補正の内容】
【特許請求の範囲】
【請求項１】
スイッチング・チャネルを備えるリレー筐体と、
前記スイッチング・チャネル内に配置され、液体金属に濡れる表面を備えた第１の接触パッドと、
前記スイッチング・チャネル内に配置され、液体金属に濡れる表面を備えた第２の接触パッドと、
前記第１の接触パッドと前記第２の接触パッドの間に配置され、液体金属に濡れる表面を備えた第３の接触パッドと、
前記第１の接触パッドと濡れ接触した第１の液体金属小滴と、
前記第２の接触パッドと濡れ接触した第２の液体金属小滴と、
前記第３の接触パッドと濡れ接触し、前記スイッチング・チャネル内を移動して、前記第１の液体金属小滴及び前記第２の液体金属小滴の一方と合体するようになっている第３の液体小滴と、
前記スイッチング・チャネルの前記第１の液体金属小滴と前記第３の液体金属小滴との間を通る第１の光路と、
前記スイッチング・チャネルの前記第２の液体金属小滴と前記第３の液体金属小滴との間に駆動流体を送り込むことにより、前記第２の液体金属小滴と前記第３の液体金属小滴を分離させ、前記第１の液体金属小滴と前記第３の液体金属小滴を合体させる働きをする第１の圧電ポンプと、
前記スイッチング・チャネルの前記第１の液体金属小滴と前記第３の液体金属小滴との間に駆動流体を送り込むことにより、前記第１の金属小滴と前記第３の液体金属小滴を分離させ、前記第２の液体金属小滴と前記第３の液体金属小滴を合体させる働きをする第２の圧電ポンプとが含まれており、
前記第１の光路は、前記第１及び第３の液体金属小滴が合体すると閉鎖され、前記第１及び第３の液体金属が分離すると開通することを特徴とする、圧電光学リレー。
【請求項２】
さらに、
前記リレー筐体内に形成されて、駆動流体を収容する槽と、
前記槽を前記第１の圧電ポンプに結合する第１の流体通路と、
前記槽を前記第２の圧電ポンプに結合する第２の流体通路とが含まれ、
前記第１及び第２の流体通路が、前記槽と、前記第１及び第２の圧電ポンプとの間における急速な流体流を制限するサイズになっていることを特徴とする、請求項１に記載の圧電光学リレー。
【請求項３】
前記第１の圧電ポンプが、
前記リレー筐体内に形成された第１のポンプ室と、端部間結合され、それぞれ、前記第１のポンプ室の第１の側面を形成している、第１の対の圧電素子とを具備し、
前記第１の対の圧電素子のせん断動作によって、前記第１のポンプ室の容積が変化することを特徴とする、請求項１に記載の圧電光学リレー。
【請求項４】
前記第１の圧電ポンプがさらに、端部間結合され、それぞれ、前記第１のポンプ室の第２の側面を形成している、第２の対の圧電素子を具備し、
前記第２の対の圧電素子のせん断動作によって、前記第１のポンプ室の容積が変化することを特徴とする、請求項３に記載の圧電光学リレー。
【請求項５】
前記第１の光路が、
前記スイッチング・チャネルに光を送り込むように構成された第１の光導波路と、
前記第１の光導波路と光学的に整列され、前記第１の液体金属小滴と第３の液体金属小滴の分離時に前記第１の光導波路からの光を受光するように構成された第２の光導波路と
を具備することを特徴とする、請求項１に記載の圧電光学リレー。
【請求項６】
さらに、
前記第２の液体金属小滴と前記第３の液体金属小滴との間を通る第２の光路を具備することを特徴とする、請求項１に記載の圧電光学リレー。
【請求項７】
さらに、
前記第３の液体金属小滴に結合したスラグを備え、該スラグが前記第３の液体金属小滴の動きに伴って動くことを特徴とする、請求項１に記載の圧電光学リレー。
【請求項８】
前記リレー筐体が、
前記第１の圧電ポンプ及び前記第２の圧電ポンプに対する電気接続を支持する回路基板層と、
前記第１及び第２の圧電ポンプを備える圧電層と、
前記回路基板層と前記圧電層の間に配置され、前記スイッチング・チャネルが形成されているスイッチング層と、
駆動流体を収容するための槽が形成されている槽層と、
前記圧電層と前記スイッチング層の間に配置され、前記第１及び第２の圧電ポンプと前記スイッチング・チャネルとの間に駆動流体を通せるようにする第１のオリフィス及び第２のオリフィスを備えたチャネル・キャップ層と
を具備することを特徴とする、請求項１に記載の圧電光学リレー。
【請求項９】
前記リレー筐体が、さらに、前記槽層と前記圧電層の間に配置された通路層を具備し、前記槽を前記第１の圧電ポンプに結合する第１の流体通路と前記槽を前記第２の圧電ポンプに結合する第２の流体通路とを前記通路層に設けたことを特徴とする、請求項８に記載の圧電光学リレー。
【請求項１０】
前記第１の光路が、
前記スイッチング層の第１のノッチに埋め込まれて、前記スイッチング・チャネルに光を送り込むように構成された第１の光導波路と、
前記スイッチング層の第２のノッチに埋め込まれて、前記第１の光導波路と光学的に整列され、前記第１の液体金属小滴と前記第３の液体金属小滴が分離された時、前記第１の光導波路から光を受光するように構成されている第２の光導波路と
を具備することを特徴とする、請求項８に記載の圧電光学リレー。
【手続補正書】
【提出日】平成19年3月23日(2007.3.23)
【手続補正１】
【補正対象書類名】特許請求の範囲
【補正対象項目名】全文
【補正方法】変更
【補正の内容】
【特許請求の範囲】
【請求項１】
粒子径が０．００５〜０．０８μｍの範囲にある酸化物微粒子と、酸化物微粒子以外の無機粒子と、感光性有機成分とを含有する感光性ペーストであって、酸化物微粒子と有機成分の平均屈折率Ｎ１と酸化物微粒子以外の無機粒子の平均屈折率Ｎ２が次式を満たすことを特徴とする感光性ペースト。
−０．０７≦Ｎ２−Ｎ１≦０．０７ （Ｎ２＞１．６５）
【請求項２】
有機成分の屈折率が１．４０〜１．６５、酸化物微粒子の屈折率が１．７〜２．６である請求項１に記載の感光性ペースト。
【請求項３】
酸化物微粒子がシリカ、アルミナ、チタニア、ジルコニア、イットリア、セリア、マグネシア、酸化亜鉛、酸化マンガン、酸化銅、酸化鉄、酸化ホルミウム、酸化鉛、酸化錫の群から選ばれた少なくとも１種類を含むことを特徴とする請求項１記載の感光性ペースト。
【請求項４】
感光性有機成分がカルボキシル基を有するコポリマーであり、樹脂酸価は５０〜１５０ｍｇＫＯＨ／ｇであることを特徴とする請求項１〜３のいずれかに記載の感光性ペースト。
【請求項５】
酸化物微粒子以外の無機粒子が低軟化点ガラス６０重量％〜９７重量％と平均粒径１μｍ〜４μｍのフィラー３重量％〜４０重量％とを含有することを特徴とする請求項１〜４のいずれかに記載の感光性ペースト。
【請求項６】
低軟化点ガラスが熱軟化点４５０〜６００℃であることを特徴とする請求項５に記載の感光性ペースト。
【請求項７】
請求項１〜６のいずれかに記載の感光性ペーストを基板上に塗布し、フォトリソグラフィーでパターン形成した後、焼成することを特徴とするプラズマディスプレイ用隔壁の製造方法。
【請求項８】
請求項１〜６のいずれかに記載の感光性ペーストを基板上に塗布し、フォトリソグラフィーでパターン形成した後、焼成することを特徴とするプラズマディスプレイ用透明誘電体パターンの製造方法。
【請求項９】
請求項７または請求項８に記載の製造方法により作成されたプラズマディスプレイ部材。
【手続補正２】
【補正対象書類名】明細書
【補正対象項目名】発明の名称
【補正方法】変更
【補正の内容】
【発明の名称】感光性ペースト、プラズマディスプレイ用隔壁およびプラズマディスプレイ用透明誘電体パターンの製造方法ならびにプラズマディスプレイ部材
【手続補正書】
【提出日】平成19年2月16日(2007.2.16)
【手続補正１】
【補正対象書類名】特許請求の範囲
【補正対象項目名】全文
【補正方法】変更
【補正の内容】
【特許請求の範囲】
【請求項１】
スイッチングチャネルを格納するリレーハウジングと、
前記スイッチングチャネル内に配置され、それぞれが、液体金属が湿潤可能な表面を有する第１及び第２接触パッドと、
前記第１及び第２接触パッド間の前記スイッチングチャネル内に配置され、液体金属が湿潤可能な表面を有する第３接触パッドと、
前記第１接触パッドと湿潤接触状態にある第１液体金属小滴と、
前記第２接触パッドと湿潤接触状態にある第２液体金属小滴と、
前記第３接触パッドと湿潤接触状態にあり、前記スイッチングチャネル内において移動して、前記第１液体金属小滴及び前記第２液体金属小滴の中の１つと合体するべく適合された第３液体金属小滴と、
前記第１及び第３液体金属小滴間の前記スイッチングチャネルを通過する第１光経路と、
第１ヒーターであって、
第１作動ガスを格納する第１ヒーターチャンバと、
前記第１ヒーターチャンバを前記第１及び第３接触パッド間の前記スイッチングチャネルに結合する第１ガスダクトと、
前記第１作動ガスの圧力を増大させ、これにより、前記第１及び第３液体金属小滴を分離させ、かつ、前記第２及び第３液体金属小滴を合体させるべく動作可能な第１ヒーター抵抗体と、
を備える第１ヒーターと、
第２ヒーターであって、
第２作動ガスを格納する第２ヒーターチャンバと、
前記第２ヒーターチャンバを前記第２及び第３接触パッド間の前記スイッチングチャネルに結合する第２ガスダクトと、
前記第２作動ガスの圧力を増大させ、これにより、前記第２及び第３液体金属小滴を分離させ、かつ、前記第１及び第３液体金属小滴を合体させるべく動作可能な第２ヒーター抵抗体と、
を備える第２ヒーターと、
を具備し、
前記第１光経路は、前記第１及び第３液体金属小滴が合体した場合に遮断され、前記第１及び第３液体金属小滴が分離した場合に開通する、ことを特徴とする光リレー。
【請求項２】
前記第１光経路が、
前記スイッチングチャネル内に光を伝送するべく構成された第１光導波路と、
前記第１光導波路と光学的にアライメントされ、前記第１及び第３液体金属小滴が分離した場合に、前記第１光導波路から光を受光するべく構成された第２光導波路と、
を有する、ことを特徴とする請求項１記載の光リレー。
【請求項３】
前記第２及び第３液体金属小滴間を通過する第２光経路を更に有する、ことを特徴とする請求項１記載の光リレー。
【請求項４】
前記第１ヒーター抵抗体と湿潤接触状態にあり、前記第１ヒーター抵抗体にエネルギーが供給された場合に、相変化するべく適合された第１相変化液体と、
前記第２ヒーター抵抗体と湿潤接触状態にあり、前記第２ヒーター抵抗体にエネルギーが供給された場合に、相変化するべく適合された第２相変化液体と、
を更に有する、ことを特徴とする請求項１記載の光リレー。
【請求項５】
前記第１ヒーターチャンバ及び前記第２ヒーターチャンバ内に開口する圧力調整通路を更に有する請求項４記載の光リレー。
【請求項６】
前記第１及び第２相変化液体は不活性な無機液体である、ことを特徴とする請求項４記載の光リレー。
【請求項７】
前記第１及び第２相変化液体は液体金属である、ことを特徴とする請求項４記載の光リレー。
【請求項８】
前記リレーハウジングは、
底部キャップレイヤと、
前記第１及び第２ヒーター抵抗体と電気的結合を支持するとともに、前記第１及び第２ガスダクトを格納する回路レイヤと、
前記底部キャップレイヤと前記回路レイヤ間に位置され、前記第１及び第２ヒーターチャンバを格納するヒーターチャンバレイヤと、
前記回路レイヤの上部に位置され、内部に形成されたスイッチングチャネルを有するスイッチングレイヤと、
前記スイッチングレイヤの上部に位置された上部キャップレイヤと、
を備える、ことを特徴とする請求項１記載の光リレー。
【請求項９】
前記第１光経路が、
前記スイッチングレイヤ内の第１のノッチ内に埋め込まれ、前記スイッチングチャネル内に光を伝送するべく構成された第１光導波路と、
前記スイッチングレイヤ内の第２のノッチ内に埋め込まれて、前記第１光導波路と光学的にアライメントされ、前記第１及び第３液体金属小滴が分離した場合に、前記第１光導波路から光を受光するべく構成された第２光導波路と、
を備える、ことを特徴とする請求項８記載の光リレー。
【請求項１０】
前記第１、第２及び第３接触パッドの第１の部分が、前記回路レイヤの上部表面上に形成され、
前記第１、第２及び第３接触パッドの第２の部分が、前記スイッチングレイヤ内の前記スイッチングチャネルの側部上に形成され、
前記第１、第２及び第３接触パッドの第３の部分が、前記上部キャップレイヤの下部表面上に形成されている、
ことを特徴とする請求項８記載の光リレー。
【請求項１１】
前記液体金属は、水銀、又はガリウムを含む合金である、ことを特徴とする請求項１記載の光リレー。
【手続補正書】
【提出日】平成19年2月27日(2007.2.27)
【手続補正１】
【補正対象書類名】特許請求の範囲
【補正対象項目名】請求項１
【補正方法】変更
【補正の内容】
【請求項１】
内箱と、外箱と、前記内箱と外箱間に充填した発泡断熱材とよりなる前面開口部を有する断熱箱体と、断熱箱体の前記前面開口部を閉塞するドアと、前記ドアの開放に同期して前後方向に引き出される前記断熱箱体内部に備えた容器と、前記容器を前後に移動可能とするレール部材とからなり、前記レール部材を左右に設け、前記レール部材は固定レールと移動レールとを有し、前記固定レールと移動レールはそれぞれ回転支持部材で支持され前記固定レールと移動レールを予め組み込んだ状態で前記固定レールを前記断熱箱体の内箱の両側壁面に固定するとともに前記移動レールを前記ドアに固定し、その後、容器を前記レール部材に支持することによって、前記ドアを少なくとも全開した時に前記容器を上方向に着脱自在としたことを特徴とする冷蔵庫。
【手続補正２】
【補正対象書類名】明細書
【補正対象項目名】０００９
【補正方法】変更
【補正の内容】
【０００９】
上記従来の課題を解決するために、本発明の冷蔵庫は、内箱と、外箱と、前記内箱と外箱間に充填した発泡断熱材とよりなる前面開口部を有する断熱箱体と、断熱箱体の前記前面開口部を閉塞するドアと、前記ドアの開放に同期して前後方向に引き出される前記断熱箱体内部に備えた容器と、前記容器を前後に移動可能とするレール部材とからなり、前記レール部材を左右に設け、前記レール部材は固定レールと移動レールとを有し、前記固定レールと移動レールはそれぞれ回転支持部材で支持され前記固定レールと移動レールを予め組み込んだ状態で前記固定レールを前記断熱箱体の内箱の両側壁面に固定するとともに前記移動レールを前記ドアに固定し、その後、容器を前記レール部材に支持することによって、前記ドアを少なくとも全開した時に前記容器を上方向に着脱自在としたものである。
【手続補正３】
【補正対象書類名】明細書
【補正対象項目名】００１３
【補正方法】変更
【補正の内容】
【００１３】
請求項１に記載の発明は、内箱と、外箱と、前記内箱と外箱間に充填した発泡断熱材とよりなる前面開口部を有する断熱箱体と、断熱箱体の前記前面開口部を閉塞するドアと、前記ドアの開放に同期して前後方向に引き出される前記断熱箱体内部に備えた容器と、前記容器を前後に移動可能とするレール部材とからなり、前記レール部材を左右に設け、前記レール部材は固定レールと移動レールとを有し、前記固定レールと移動レールはそれぞれ回転支持部材で支持され前記固定レールと移動レールを予め組み込んだ状態で前記固定レールを前記断熱箱体の内箱の両側壁面に固定するとともに前記移動レールを前記ドアに固定し、その後、容器を前記レール部材に支持することによって、前記ドアを少なくとも全開した時に前記容器を上方向に着脱自在としたものであり、固定レールと移動レールとをあらかじめ組み込んだ状態のレール部材を断熱箱体に固定することにより固定レールと移動レールとのクリアランスを小さくすることができ、ガタの少ない高品位な引出しを構成することができる。また、固定レールと移動レールとの間を回転支持部材で支持することにより容器に荷重を加えた場合でも滑らかに移動レールが移動できるので引出しの操作力を低減することができ、使い勝手の向上を計ることができる。
【手続補正書】
【提出日】平成19年2月14日(2007.2.14)
【手続補正１】
【補正対象書類名】特許請求の範囲
【補正対象項目名】全文
【補正方法】変更
【補正の内容】
【特許請求の範囲】
【請求項１】
貯蔵物を収納する貯蔵室と、前記貯蔵室に流入する冷気を生成する冷却器と、前記貯蔵室の背面に延びて前記冷却器からの冷気が流通する冷気通路と、前記貯蔵室内の背面側に設けられるとともに冷熱を前記貯蔵室内に放出する部材と、前記冷気通路に前記冷却器からの冷気が流入する側の前記貯蔵室の背面に設けられる断熱部材と、前記部材の周辺に配されて前記冷気通路を流通する冷気を前記貯蔵室に吐出する吐出口とを備えたことを特徴とする冷蔵庫。
【請求項２】
前記部材は着脱自在に設けられることを特徴とする請求項１に記載の冷蔵庫。
【請求項３】
前記部材は金属板を含むことを特徴とする請求項１または請求項２に記載の冷蔵庫。
【請求項４】
前記吐出口を前記部材の側方に配したことを特徴とする請求項１〜請求項３のいずれかに記載の冷蔵庫。
【請求項５】
前記吐出口を前記部材よりも上方に配したことを特徴とする請求項１〜請求項４のいずれかに記載の冷蔵庫。
【請求項６】
前記部材は前記冷気通路の少なくとも一部を形成し、前記冷気通路を流通する冷気による冷熱を前記貯蔵室内に放出することを特徴とする請求項１〜請求項５のいずれかに記載の冷蔵庫。
【手続補正２】
【補正対象書類名】明細書
【補正対象項目名】０００９
【補正方法】変更
【補正の内容】
【０００９】
上記目的を達成するために本発明は、貯蔵物を収納する貯蔵室と、前記貯蔵室に流入する冷気を生成する冷却器と、前記貯蔵室の背面に延びて前記冷却器からの冷気が流通する冷気通路と、前記貯蔵室内の背面側に設けられるとともに冷熱を前記貯蔵室内に放出する部材と、前記冷気通路に前記冷却器からの冷気が流入する側の前記貯蔵室の背面に設けられる断熱部材と、前記部材の周辺に配されて前記冷気通路を流通する冷気を前記貯蔵室に吐出する吐出口とを備えたことを特徴としている。
【手続補正３】
【補正対象書類名】明細書
【補正対象項目名】００１０
【補正方法】変更
【補正の内容】
【００１０】
また本発明は、上記構成の冷蔵庫において、前記部材は着脱自在に設けられることを特徴としている。
【手続補正４】
【補正対象書類名】明細書
【補正対象項目名】００１１
【補正方法】変更
【補正の内容】
【００１１】
また本発明は、上記構成の冷蔵庫において、前記部材は金属板を含むことを特徴としている。
【手続補正５】
【補正対象書類名】明細書
【補正対象項目名】００１２
【補正方法】変更
【補正の内容】
【００１２】
また本発明は、上記構成の冷蔵庫において、前記吐出口を前記部材の側方に配したことを特徴としている。
【手続補正６】
【補正対象書類名】明細書
【補正対象項目名】００１３
【補正方法】変更
【補正の内容】
【００１３】
また本発明は、上記構成の冷蔵庫において、前記吐出口を前記部材よりも上方に配したことを特徴としている。
【手続補正７】
【補正対象書類名】明細書
【補正対象項目名】００１４
【補正方法】変更
【補正の内容】
【００１４】
また本発明は、上記構成の冷蔵庫において、前記部材は前記冷気通路の少なくとも一部を形成し、前記冷気通路を流通する冷気による冷熱を前記貯蔵室内に放出することを特徴としている。
【手続補正８】
【補正対象書類名】明細書
【補正対象項目名】００１５
【補正方法】削除
【補正の内容】
【手続補正書】
【提出日】平成19年2月19日(2007.2.19)
【手続補正１】
【補正対象書類名】明細書
【補正対象項目名】００３１
【補正方法】変更
【補正の内容】
【００３１】
本実施例の場合、誤差成分、即ち、上記振れ回りによる変動分ｄn が、前記ハブ２の回転一次成分である。従って、このハブ２の回転速度を検出する為、前記エンコ−ダ１３ａの被検出面の特性変化に対応してその出力信号を変化させる、前記回転検出センサ１５ａの出力変化の回数を計測する事により、上記参照信号ｘを得られる。上記誤差成分（変動分ｄn ）は、回転一次が主成分の波形であり、例えば上記エンコーダ１３ａの被測定面が、６０パルス／１回転であれば、６０パルスで１周期となる様なサイン波、三角波、鋸波、矩形波、パルス波等を自己生成する事により、上記参照信号ｘを得られる。従って、上記参照信号ｘの生成に要するコストを低減できる。即ち、従来から適応フィルタの用途として一般的に知られていたアクティブノイズコントロールの構造をそのまま上記変位センサ１１により検出する、上記ハブ２のラジアル方向の変位を正確に求める為の構造に適用すると、このハブ２の振れ回りを、変位センサや回転速度センサ等、別途設けたセンサにより検出し、このセンサの検出信号を上記適応フィルタ１６の参照信号ｘとして使用する事になる。勿論、本発明をこの様な構造で実施する事も可能ではあるが、別途センサを設ける分だけ、コスト並びに設置スペースが必要になる。